(57)【特許請求の範囲】
【請求項１】
支持面に媒体を支持しつつ回転する支持ドラムと、
キャリッジに搭載され、前記支持面に支持された媒体に向けて流体を噴射する噴射ヘッドと、
前記支持ドラムに設けられ、前記噴射ヘッドのうち前記流体を噴射する噴射面の像を反射する反射部と、
前記支持ドラムとは非接触に設けられ、前記反射された前記像を撮像する撮像機構と
を備えることを特徴とする流体噴射装置。
【請求項２】
前記支持面には、前記媒体を支持する支持領域と、前記媒体を支持しない非支持領域とが設けられており、
前記反射部は、前記非支持領域に設けられている
ことを特徴とする請求項１に記載の流体噴射装置。
【請求項３】
前記支持ドラムには、前記支持面に対する凹部が設けられており、
前記反射部は、前記凹部内に設けられている
ことを特徴とする請求項１又は請求項２に記載の流体噴射装置。
【請求項４】
前記反射部は、前記支持面上の複数の領域に設けられており、
複数の前記反射部は前記像を異なる方向へ向けて反射する
ことを特徴とする請求項１から請求項３のうちいずれか一項に記載の流体噴射装置。
【請求項５】
前記反射部は、前記支持面上のうち前記支持ドラムの回転方向に沿って配置された複数の領域に設けられている
ことを特徴とする請求項１から請求項４のうちいずれか一項に記載の流体噴射装置。
【請求項６】
支持面に媒体を支持する支持領域と、前記媒体を支持しない非支持領域と、を設け、回転する支持ドラムと、
キャリッジに搭載され、前記支持面に支持された媒体に向けて流体を噴射する噴射ヘッドと、
前記非支持領域に設けられ、前記噴射ヘッドのうち前記流体を噴射する噴射面の像を撮像する撮像機構と、
を備えることを特徴とする流体噴射装置。
【発明の詳細な説明】
【技術分野】
【０００１】
本発明は、流体噴射装置に関する。
【背景技術】
【０００２】
媒体に流体を噴射する流体噴射装置として、例えばインクジェット型の記録装置が知られている。
【０００３】
このようなインクジェット記録装置において記録ヘッドに設けられたノズルから媒体に向けてインクを噴射するようにしている。ノズルのメニスカスが破壊されると、媒体にノズル抜けが発生するため、従来、例えばカメラを搭載してノズルから噴射された飛行中のインク滴を観察したり（例えば特許文献１参照）、記録ヘッドのノズルを撮像したりするようにしていた（例えば、特許文献２参照）。  
【特許文献１】特開平１０−２０６６２４号公報
【特許文献２】特開２００５−１７８２９８号公報
【発明の開示】
【発明が解決しようとする課題】
【０００４】
しかしながら、飛行中のインク滴を撮像することは技術的に難しい。また、記録ヘッドのノズルを撮像するには、記録ヘッドと対向する位置にカメラを搭載する必要があり、そのカメラを置くためのスペースが必要となる。
【０００５】
上述した事情に鑑み、本発明は、記録ヘッドを撮像するためのカメラを、無駄なスペースを設けず、簡易な流体噴射装置を提供することを目的としている。
【課題を解決するための手段】
【０００６】
上記課題を解決するため、本発明に係る流体噴射装置は、支持面に媒体を支持しつつ回転する支持ドラムと、キャリッジに搭載され、前記支持面に支持された媒体に向けて流体を噴射する噴射ヘッドと、前記支持ドラムに設けられ、前記噴射ヘッドのうち前記流体を噴射する噴射面の像を反射する反射部と、前記支持ドラムとは非接触に設けられ、前記反射された前記像を撮像する撮像機構とを備えることを特徴とする。
【０００７】
本発明によれば、噴射ヘッドのうち流体を噴射する噴射面の像を反射する反射部が支持ドラムに設けられているので、当該撮像機構によって当該反射された像を撮像することで噴射面の像を得ることができる。撮像機構を支持ドラムに対して非接触に設ける場合であっても、噴射面の様子を観察することができる。これにより、撮像機構用の電子部品を支持ドラムに配置しなくても済むため、回転する支持ドラムに対してスリップリンクなどの構成要素を設ける必要が無い。これにより、支持ドラムの構成が複雑化するのを回避することができる。
【０００８】
上記の流体噴射装置は、前記支持面には、前記媒体を支持する支持領域と、前記媒体を支持しない非支持領域とが設けられており、前記反射部は、前記非支持領域に設けられていることを特徴とする。  
本発明によれば、支持面には、媒体を支持する支持領域と、当該媒体を支持しない非支持領域とが設けられており、反射部が非支持領域に設けられていることとしたので、媒体の支持時及び非支持時に関わらず噴射面の様子を観察することができる。
【０００９】
上記の流体噴射装置は、前記支持ドラムには、前記支持面に対する凹部が設けられており、前記反射部は、前記凹部内に設けられていることを特徴とする。  
本発明によれば、支持ドラムには、支持面に対する凹部が設けられており、反射部が凹部内に設けられていることとしたので、支持ドラムの回転の妨げとなるのを防ぐことができる。
【００１０】
上記の流体噴射装置は、前記反射部は、前記支持面上の複数の領域に設けられており、複数の前記反射部は前記像を異なる方向へ向けて反射することを特徴とする。  
本発明によれば、反射部が支持面上の複数の領域に設けられており、複数の反射部が像を異なる方向へ向けて反射することとしたので、複数の反射部によって像の反射方向を調節することができる。これにより、反射部及び撮像機構の配置の自由度を高めることができる。
【００１１】
上記の流体噴射装置は、前記反射部は、前記支持面上のうち前記支持ドラムの回転方向に沿って配置された複数の領域に設けられていることを特徴とする。  
本発明によれば、反射部が支持面上のうち支持ドラムの回転方向に沿って配置された複数の領域に設けられていることとしたので、支持ドラムの回転時には噴射面を複数回撮像することができる。これにより、噴射面を頻繁に観察することができ、噴射状態をより正確に把握することができる。
【００１２】
上記の流体噴射装置は、支持面に媒体を支持する支持領域と、前記媒体を支持しない非支持領域と、を設け、回転する支持ドラムと、キャリッジに搭載され、前記支持面に支持された媒体に向けて流体を噴射する噴射ヘッドと、前記非支持領域に設けられ、前記噴射ヘッドのうち前記流体を噴射する噴射面の像を撮像する撮像機構と、を備えることを特徴とする。  
本発明によれば、回転する支持ドラムにおける媒体を支持しない領域にヘッドの噴射面を撮像する撮像装置を備えたので、無駄なスペースを必要とすることなく撮像装置を配置することができる。
【発明を実施するための最良の形態】
【００１３】
以下、本発明の実施の形態を図面を参照して説明する。  
図１は、本発明の実施形態に係るインクジェット式記録装置１００の概略構造を模式的に示す斜視図である。
【００１４】
同図に示すように、インクジェット式記録装置（流体噴射装置）１００は、互いに平行となるよう直立している一対のフレーム１３０間に設けられた記録部１２０と、給紙部１１２および排紙部１１４を含む給排紙部１１０とで構成されている。同図に示すように、給排紙部１１０と記録部１２０とは近接して設けられている。
【００１５】
記録部１２０は、一対のフレーム１３０の間に支持された支持ドラム１４０と、ガイド軸１３２、１３４、１３６、１３８と、撮像部１４５とを有する。  
支持ドラム１４０はフレーム１３０によって軸支された回転軸１４２を有している。当該回転軸１４２を中心として、図１中に示す矢印Ｒの方向に支持ドラム１４０が回転するようになっている。支持ドラム１４０の回転は、不図示のドラム駆動部により制御されるようになっている。支持ドラム１４０の表面は記録用紙（媒体）１５０を支持する支持面１４４になっており、当該支持面１４４に記録用紙１５０を保持した状態で回転可能になっている。
【００１６】
撮像部１４５は例えばＣＣＤカメラなどから構成されている。この撮像部１４５は支持ドラム１４０及び記録ヘッド１８０に対して非接触となるように設けられており、不図示の移動機構によってこれら支持ドラム１４０及び記録ヘッド１８０に対して独立して移動することができるようになっている。
【００１７】
撮像部１４５は支持ドラム１４０の表面に撮像面１４５ａが向くように配置されており、支持ドラム１４０の表面に向けて撮像用の光を照射する不図示の光源が設けられている。この撮像部１４５は不図示の出力部に接続されており、撮像された画像が当該出力部を介して出力されるようになっている。撮像部１４５による撮像倍率は所定の範囲で変更可能になっており、当該撮像倍率を変更することによって撮像範囲を設定できるようになっている。
【００１８】
記録部キャリッジ１７０は記録ヘッド１８０を搭載する筐体であり、支持ドラム１４０の支持面１４４に近接するように設けられている。記録部キャリッジ１７０には、支持ドラム１４０の回転軸１４２の方向に沿って２つの貫通孔が設けられている。互いに平行な４本のガイド軸１３２、１３４、１３６、１３８のうち、２つのガイド軸１３２、１３４は、記録部キャリッジ１７０の当該貫通孔をそれぞれ貫通するように設けられている。記録部キャリッジ１７０はこの貫通孔においてガイド軸１３２、１３４に支持されている。また、記録部キャリッジ１７０には不図示の駆動機構が設けられており、当該駆動機構によりガイド軸１３２、１３４によって支持された状態で当該ガイド軸の軸方向に移動可能になっている。記録部キャリッジ１７０がガイド軸の軸方向に移動することにより、記録ヘッド１８０が同方向に搬送されるようになっている。
【００１９】
照射部キャリッジ１６０は紫外線照射部１６２を搭載する筐体であり、支持ドラム１４０の支持面１４４に沿って設けられている。照射部キャリッジ１６０には支持ドラム１４０の回転軸１４２の方向に沿って２つの貫通孔が設けられている。上記４本のガイド軸のうち残り２つのガイド軸１３６、１３８は、照射部キャリッジ１６０の当該貫通孔をそれぞれ貫通するように設けられている。照射部キャリッジ１６０はこの貫通孔においてガイド軸１３６、１３８にそれぞれ支持されている。また、照射部キャリッジ１６０には不図示の駆動機構が設けられおり、当該駆動機構によりガイド軸１３６、１３８に支持された状態で当該ガイド軸の軸方向に移動可能に設けられている。照射部キャリッジ１６０がガイド軸の軸方向に移動することにより、紫外線照射部１６２が同方向に搬送されるようになっている。
【００２０】
給紙部１１２は、複数枚積層されたシート状の記録用紙１５０を収納すると共に記録用紙１５０を１枚ずつ支持ドラム１４０に向けて供給するようになっている。支持ドラム１４０に向けて供給された記録用紙１５０は、支持ドラム１４０の支持面１４４に巻き付けられ、支持ドラム１４０と共に回転するようになっている。
【００２１】
記録部キャリッジ１７０に搭載された記録ヘッド１８０は、回転する支持ドラム１４０に保持された記録用紙１５０に対して紫外線硬化型インクを吐出して付着させる。照射部キャリッジ１６０に搭載された紫外線照射部１６２は、記録用紙１５０に付着した紫外線硬化型インクに対して紫外線を照射し、紫外線硬化型インクを硬化させる。硬化した紫外線硬化型インクは画像として記録用紙１５０の表面に固定される。
【００２２】
支持ドラム１４０が１回転すると、記録用紙１５０について支持ドラム１４０の長手方向の一部領域において記録用紙１５０に画像が記録される。記録部キャリッジ１７０はガイド軸１３２、１３４に沿って移動して、上記領域に隣接した領域に対して同様の記録動作を実行する。
【００２３】
その後、記録ヘッド１８０が記録動作をしながら支持ドラム１４０が１回転以上する毎に記録部キャリッジ１７０が移動するという動作を繰り返すことにより、記録用紙１５０表面全体に画像が形成される。
【００２４】
インクジェット式記録装置１００においては、支持ドラム１４０の回転方向が主走査方向であり、記録部キャリッジ１７０の移動方向が副走査方向となる。つまり、キャリッジの移動方向が主走査方向となり、記録用紙１５０の搬送方向がキャリッジの副走査方向と一致する多くの記録装置とは異なっている。
【００２５】
紫外線照射部１６２を搬送する照射部キャリッジ１６０は、記録部キャリッジ１７０の移動に従って移動して、記録ヘッド１８０から記録用紙１５０上に吐出された直後の紫外線硬化型インクに対して紫外線を照射する。
【００２６】
好ましくは、照射部キャリッジ１６０および記録部キャリッジ１７０の移動開始のタイミングを僅かにずらすことにより、インクジェット式記録装置１００の電源部に対する負荷のピークを軽減する。
【００２７】
即ち、照射部キャリッジ１６０および記録部キャリッジ１７０を一体とした場合には、キャリッジの移動を開始する場合に加速の対象となる慣性質量が著しく大きくなるので、駆動機構への負荷が著しく大きくなる。また、大きな質量を安定に加速・減速させる場合には、強度が高く、重量の大きなフレーム１３０が求められる。従って、照射部キャリッジ１６０および記録部キャリッジ１７０を分離する構造により、電源装置の容量を低減して、装置規模の縮小、コストダウン等を図っている。
【００２８】
こうして画像を記録された記録用紙１５０は、支持ドラム１４０から剥離されて、排紙部１１４に送り込まれて蓄積される。
【００２９】
図２は、記録部１２０の構造を示す断面図である。  
記録部１２０において、記録部キャリッジ１７０は、一対のガイド軸１３２、１３４に支持されると共に、インクタンク１７４を備えて、記録ヘッド１８０を支持する。
【００３０】
インクタンク１７４は、不図示のインクカートリッジから補給されるインクを所定量保持して、記録ヘッド１８０に一定量のインクを安定的に供給する。
【００３１】
記録ヘッド１８０は、支持ドラム１４０の支持面１４４に保持された記録用紙１５０に対向して配置され、記録用紙１５０に向かってインクを吐出する。
【００３２】
紫外線照射部１６２は、支持ドラム１４０の回転方向に沿って整列された複数のランプユニット１６１を含む。これにより、支持ドラム１４０の回転に従って移動する記録用紙１５０の回転移動方向に沿って複数のランプユニット１６１が配される。従って、個々のランプユニット１６１の出力が小さい場合であっても、記録用紙１５０が回転する間に十分な紫外線照射量が得られる。
【００３３】
このような記録部１２０において、記録ヘッド１８０から吐出されたインクが付着した記録用紙１５０は、支持ドラム１４０の回転に従って、図中に矢印Ｒにより示す方向に回転移動する。
【００３４】
照射部キャリッジ１６０に支持された紫外線照射部１６２は、回転方向において記録ヘッド１８０の下流側に配置される。従って、記録ヘッド１８０から吐出されて記録用紙１５０に付着した紫外線硬化型インクは、即座に紫外線を照射されて硬化する。
【００３５】
図４は、記録ヘッド１８０を搭載した記録部キャリッジ１７０を示す斜視図である。  
記録部キャリッジ１７０は、ガイド軸１３２、１３４が挿通される一対の水平な貫通穴１７６と、インクタンク１７４とを備えたキャリッジ本体１７２を有する。記録ヘッド１８０は、キャリッジ本体１７２の上面に搭載される。
【００３６】
図５は、記録ヘッド１８０を、図４に矢印Ｆで示す方向から見た様子を示す正面図である。  
記録ヘッド１８０は、５個のヘッドユニット（噴射ヘッド）１８１、１８２、１８３、１８４、１８５を備える。ヘッドユニット１８１〜１８５の各々は、互いに種類の異なるインクを吐出するようになっている。具体的には、例えば、ホワイトＷ、マゼンタＭ、イエローＹ、シアンＣ、クリアＣＲの各インクが、ヘッドユニット１８１〜１８５のいずれかから吐出される。
【００３７】
ヘッドユニット１８１〜１８５の各々には、支持ドラム１４０に対向する面にノズルプレート１９０（１９１〜１９５）が設けられている。ノズルプレート１９１〜１９５の各々には、紫外線硬化型インクを吐出するノズル孔が列状に形成されている。具体的には、各ノズルプレート１９１〜１９５には、２つのノズル列Ｌ１，Ｌ２が形成され、各ノズル列Ｌ１，Ｌ２は、例えば、１８０個のノズルＮ（＃１〜＃１８０）から形成される。したがって、ノズルプレート１９０の表面１９０ａがインクを噴射する噴射面となっている。
【００３８】
なお、ヘッドユニット１８１〜１８５からインクを吐出させる駆動構造としては、静電力等によりインクの液滴を吸引する方式、水晶振動子、圧電素子等を用いてインクを打ち出す方式など、種々の方法が既に知られており、用途に応じて適宜選択できる。
【００３９】
図６は、照射部キャリッジ１６０に搭載された紫外線照射部１６２を示す斜視図である。  
紫外線照射部１６２は、共通の照射部フレーム１６４に装着された複数のランプユニット１６１、１６３、１６５、１６７、１６９を備える。ランプユニット１６１〜１６９は、その長手方向に複数のランプユニット１６１〜１６９が整列されると共に、記録ヘッド１８０のヘッドユニット１８１〜１８５に対応して５列に配列される。
【００４０】
なお、ランプユニット１６１〜１６９の個々の照射範囲の幅は、ヘッドユニット１８１〜１８５の個々の記録幅よりも広くすることが好ましい。これにより、照射部キャリッジ１６０および記録部キャリッジ１７０の移動のタイミングがずれる場合にも、記録用紙１５０に付着した紫外線硬化型インクに十分な照射量の紫外線を照射できる。
【００４１】
また、ランプユニット１６１〜１６９としては、メタルハライドランプ、キセノンランプ、カーボンアーク灯、ケミカルランプ、低圧水銀ランプ、高圧水銀ランプ等をいずれも例示できる。より具体的には、Ｆｕｓｉｏｎ  Ｓｙｓｔｅｍ社製のＨランプ、Ｄランプ、Ｖランプ等の市販されているものを用いることができる。
【００４２】
更に、紫外帯域で発光するＬＥＤを用いてランプユニットを形成することもできる。また、ランプユニット１６１〜１６９は、不可避に熱を発生するので、ランプユニット１６１〜１６９に放熱部を設ける他、強制的に冷却する設備を設けることも好ましい。
【００４３】
なお、紫外線硬化型インクとしては、ビヒクル、光重合開始剤および顔料の混合物に、消泡剤、重合禁止剤等の補助剤を添加して調合され、有機溶媒に溶解又は分散された状態になっている。ビヒクルは、光重合硬化性を有するオリゴマー、モノマー等を、反応性希釈剤により粘度調整して調合される。従って、インクを硬化させる目的で溶媒を揮発させることはない。
【００４４】
ビヒクルとしては、単官能あるいは多官能の重合性化合物が使用できる。より具体的には、ポリエステルアクリレート、エポキシアクリレート、ウレタンアクリレート等のオリゴマー（プレポリマー）を例示でき、インクとしての粘度を調整する反応性希釈剤もこれらの材料を用いることができる。
【００４５】
光重合開始剤としては、ベンゾフェノン系、ベンゾイン系、アセトフェノン系、チオキサントン系が広く用いられる。より具体的には、４−ｂｅｎｚｏｙｌ−Ｎ，Ｎ，Ｎ−ｔｒｉｍｅｔｈｙｌ  ｂｅｎｚｅｎｅ  ｍｅｔｈａｎｅａｎｎｍｏｎｉｕｍ  ｃｈｌｏｒｉｄｅ、２−ｈｙｄｒｏｘｙ  ３−（４−ｂｅｎｚｏｙｌ−ｐｈｅｎｏｘｙ）−Ｎ，Ｎ，Ｎ−ｔｒｉｍｅｔｈｙｌ  １−ｐｒｏｐａｎｅ  ａｎｎｍｏｎｉｕｍ  ｃｈｌｏｒｉｄｅ、４−ｂｅｎｚｏｙｌ−Ｎ，Ｎ−ｄｉｍｅｔｈｙｌ  Ｎ−［２−（１−ｏｘｏ−２−ｐｒｏｐｅｎｙｌｏｘｙ）  ｅｔｈｙｌ］  ｂｅｎｚｅｎｅ  ｍｅｔｈａｍｍｏｎｉｕｍ  ｂｒｏｍｉｄｅ等、第４級アンモニウム塩型の水溶性有機物等を用いることができる。
【００４６】
この種の光重合開始剤は、その組成に応じて、紫外線吸収特性、反応開始効率、黄変性等が異なるので、インクとしての色等に応じて使い分けられる。
【００４７】
重合禁止剤としては、ラジカル捕捉能力を有してラジカル重合を阻害する化合物であれば何れも使用できる。ただし、インクジェット式記録装置における吐出適性等を配慮すると、ハイドロキノン類、カテコール類、ヒンダードアミン類、フェノール類、フェノチアジン類、縮合芳香族環のキノン類から選択された少なくとも１種類以上の化合物が好ましい。
【００４８】
ハイドロキノン類としては、ハイドロキノン、ハイドロキノンモノメチルエーテル、１−ｏ−２，３，５−トリメチルハイドロキノン、２−ｔｅｒｔ−ブチルハイドロキノン等を例示できる。カテコール類としては、カテコール、４−メチルカテコール、４−ｔｅｒｔ−ブチルカテコール等を例示できる。ヒンダードアミン類としては、テトラメチルピペリジニル基を有する化合物等を例示できる。
【００４９】
また、フェノール類としては、フェノール、ブチルヒドロキシトルエン、ブチルヒドロキシアニソール、ピロガロール、没食子酸、没食子酸アルキルエステル等を例示できる。フェノチアジン類としては、フェノチアジン等を例示できる。前記縮合芳香族環のキノン類としては、ナフトキノン等を例示できる。
【００５０】
更に、重合禁止剤は、カーボンブラックまたは表面に重合防止官能基を導入した無機・有機微粒子であってもよい。重合防止官能基としては、例えば、ヒドロキシフェニル基、ジヒドロキシフェニル基、テトラメチルピペリジニル基、縮合芳香族環等を例示できる。
【００５１】
図６は、支持ドラム１４０の構成を示す斜視図である。図７は、支持ドラム１４０の構成を示す断面図である。  
図６及び図７に示すように、支持ドラム１４０の支持面１４４のうち支持領域１４４ａに対して外側に位置する非支持領域１４４ｂには、凹部１４１が設けられている。凹部１４１は支持ドラム１４０の中心に向けて徐々に幅が狭くなる２つの斜面を有している。この斜面のうち一方には光を反射する光反射部材１４３が設けられている。光反射部材１４３は表面で光を反射することが可能な板状部材である。
【００５２】
次に、上記構成のインクジェット式記録装置１００において、記録ヘッド１８０の噴射面１９０ａを観察する動作を説明する。  
噴射面１９０ａの観察を行う際には、噴射面１９０ａが支持ドラム１４０の支持面１４４のうち非支持領域１４４ｂに対向するように記録ヘッド１８０を移動させておく。記録ヘッド１８０の移動後、支持ドラム１４０の回転により凹部１４１の位置が回転方向に移動する。凹部１４１が噴射面１９０ａに対向する位置に到達したら、当該噴射面１９０ａの像が凹部１４１内の光反射部材１４３によって反射される。この状態で支持ドラム１４０が回転すると、図６及び図７に示すように、噴射面１９０ａの像が撮像部１４５の撮像面１４５ａ上に反射されてくる。撮像部１４５はこの像を取得し、不図示の出力部に取得した像を画像として出力する。この画像を観察することにより、噴射面１９０ａを観察することができる。
【００５３】
噴射面１９０ａの観察の結果、ノズル孔のメニスカスの形成状態が良好である場合、通常の記録処理を行うようにする。また、ノズル孔のメニスカスの形成状態が悪い場合、例えば、メニスカスが形成されていないノズル孔が認められたりした場合にはフラッシング処理を行うようにする。また、噴射面１９０ａに対して突出するようにインクが形成されてしまっている場合などにはクリーニング処理を行うようにする。このように、噴射面１９０ａの観察結果に応じて適切な処理を行うようにする。
【００５４】
このように、本実施形態によれば、記録ヘッド１８０の噴射面１９０ａの像を反射する光反射部材１４３が支持ドラム１４０に設けられているので、撮像部１４５によって当該反射された像を撮像することで噴射面１９０ａの像を得ることができる。上記構成においては、撮像部１４５が支持ドラム１４０に対して非接触に設けられているが、このように撮像部１４５を支持ドラム１４０に対して非接触に設けられている場合であっても、噴射面１９０ａの様子を観察することができる。これにより、撮像部１４５用の電子部品を支持ドラム１４０に配置しなくても済むため、回転する支持ドラム１４０に対してスリップリンクなどの構成要素を設ける必要が無い。これにより、支持ドラム１４０の構成が複雑化するのを回避することができる。
【００５５】
また、本実施形態によれば、支持面１４４には、記録用紙１５０を支持する支持領域１４４ａと、当該記録用紙１５０を支持しない非支持領域１４４ｂとが設けられており、光反射領域１４３が非支持領域１４４ｂに設けられていることとしたので、記録用紙１５０が支持されている時及び支持されていない時に関わらず噴射面１９０ａの様子を観察することができる。
【００５６】
また、本実施形態によれば、支持ドラム１４０には、支持面１４４に対する凹部１４１が設けられており、光反射部材１４３が凹部１４１内に設けられていることとしたので、光反射部材１４３が支持面１４４上に突出するのを防ぐことができる。これにより、支持ドラム１４０の回転の妨げとなるのを防ぐことができる。
【００５７】
本発明の技術範囲は上記実施形態に限定されるものではなく、本発明の趣旨を逸脱しない範囲で適宜変更を加えることができる。  
上記実施形態では、凹部１４１内に光反射部材１４３を１つだけ設ける構成を例に挙げて説明したが、これに限られることは無い。例えば図８に示すように、凹部１４１内のうち回転方向に対向するそれぞれの面に光反射部材１４３ａ及び１４３ｂを設ける構成としても構わない。この構成により、凹部１４１の寸法を小さくすることができる。
【００５８】
また、上記実施形態では、凹部１４１を１箇所だけ設ける構成を例に挙げて説明したが、これに限られることは無い。例えば図９に示すように、支持ドラム１４０の回転方向に３つの凹部１４１ｃ、１４１ｄ、１４１ｅを配置し、当該凹部１４１内にそれぞれ光反射部材１４３ｃ、１４３ｄ、１４３ｅを設ける構成としても構わない。図９に示す場合、凹部１４１ｃ、１４１ｄ及び１４１ｅのそれぞれについて、断面視で２つの斜面が形成する角度及び寸法が異なっており、これに伴って光反射部材１４３ｃ、１４３ｄ及び１４３ｅの光反射角度及び寸法が異なっている。
【００５９】
同図に示すように、凹部１４１ｃが記録ヘッド１８０の噴射面１９０ａに対向する状態において、光反射部材１４３ｃは噴射面１９０ａの一方の端部の像を撮像部１４５の撮像面１４５ａに反射するようになっている。この状態から支持ドラム１４０が回転し、図１０に示すように、凹部１４１ｄが噴射面１９０ａに対向する状態になると、光反射部材１４３ｄは噴射面１９０ａの中央部の像を撮像面１４５ａに反射するようになっている。また、この状態から更に支持ドラム１４０が回転し、図１１に示すように、凹部１４１ｅが噴射面１９０ａに対向する状態になると、光反射部材１４３ｅは噴射面１９０ａの他方の端部の像を撮像面１４５ａに反射するようになっている。このように、支持ドラム１４０の回転によって噴射面１９０ａの像を一部ごとに時差をつけて取得し、観察することも可能である。この構成においては、凹部は３つに限られることは無く、２つ又は４つ以上としても勿論構わない。
【００６０】
また、上記実施形態では、支持面１４４上に支持領域１４４ａ及び非支持領域１４４ｂを設ける構成とし、凹部１４１及び光反射部材１４３が非支持領域１４４ｂのみに設けられた構成としたが、これに限られることは無く、例えば支持面１４４上の全面に凹部１４１を形成し、当該凹部１４１内のそれぞれに光反射部材１４３を配置する構成であっても構わない。また、上記実施形態では光反射部材１４３を凹部１４１内に設ける構成としたが、これに限られることは無く、例えば支持面１４４上に直接光反射部材１４３を形成する構成であっても構わない。
【００６１】
また、上記実施形態では、撮像部１４５としてＣＣＤカメラを用いた例を説明したが、これに限られることは無く、例えばラインセンサなど他の撮像機構を用いる構成であっても構わない。
【００６２】
また、上記実施形態では、撮像部１４５が記録ヘッド１８０に対して非接触に設けられ記録ヘッド１８０に対して独立して移動することができるように構成された例を説明したが、これに限られることは無く、例えば撮像部１４５が記録ヘッド１８０と一体的に設けられ撮像部１４５と記録ヘッド１８０とが一体的に移動する構成であっても構わない。
【００６３】
また、上記実施形態においては、撮像部１４５が記録ヘッド１８０の噴射面１９０ａの像を撮像する構成としたが、これに限られることは無く、例えば噴射面１９０ａの他にも紫外線照射部１６２の光照射面を撮像することができるように構成しても構わない。この場合、支持ドラム１４０には撮像部１４５に当該光照射面の像を反射するように光反射部材１４３の位置を調節して配置することになる。
【００６４】
また、上記実施形態においては、支持ドラム１４０と撮像部１４５とが別々に設けられた構成を説明したが、これに限られることは無く、例えば支持ドラム１４０の非支持領域１４４ｂに撮像部１４５を設けた構成としても構わない。この構成により、無駄なスペースを必要とすることなく撮像部１４５を配置することができる。
【００６５】
また、上記実施形態では、流体噴射装置をインクジェット式記録装置に具体化したが、この限りではなく、インク以外の他の液体（液体以外にも、機能材料の粒子が分散されている液状体、ジェルのような流状体を含む）や液体以外の流体（流体として流して噴射できる固体など）を噴射したり吐出したりする流体噴射装置に具体化することもできる。例えば、液晶ディスプレイ、ＥＬ（エレクトロルミネッセンス）ディスプレイ及び面発光ディスプレイの製造などに用いられる電極材や色材などの材料を分散または溶解のかたちで含む液状体を噴射する液状体噴射装置、バイオチップ製造に用いられる生体有機物を噴射する液体噴射装置、精密ピペットとして用いられ試料となる液体を噴射する液体噴射装置であってもよい。さらに、時計やカメラ等の精密機械にピンポイントで潤滑油を噴射する液体噴射装置、光通信素子等に用いられる微小半球レンズ（光学レンズ）などを形成するために紫外線硬化樹脂等の透明樹脂液を基板上に噴射する液体噴射装置、基板などをエッチングするために酸又はアルカリ等のエッチング液を噴射する液体噴射装置、ジェルを噴射する流状体噴射装置、トナーなどの粉体を例とする固体を噴射する粉体噴射式記録装置であってもよい。そして、これらのうちいずれか一種の噴射装置に本発明を適用することができる。
【図面の簡単な説明】
【００６６】
【図１】本発明の実施の形態に係るインクジェット式記録装置の構成を示す図。
【図２】記録部の断面構造を示す図。
【図３】記録部キャリッジを示す斜視図。
【図４】記録ヘッドの正面図（図３の矢視Ｆ）。
【図５】紫外線照射部を示す斜視図。
【図６】支持ドラムの構成を示す斜視図。
【図７】支持ドラムの回転の様子を示す側断面図。
【図８】支持ドラムの他の構成を示す側断面図。
【図９】支持ドラムの他の構成を示す側断面図。
【図１０】支持ドラムの他の構成を示す側断面図。
【図１１】支持ドラムの他の構成を示す側断面図。
【符号の説明】
【００６７】
１００…インクジェット式記録装置（流体噴射装置）  １４１、１４１ａ、１４１ｃ、１４１ｄ、１４１ｅ）…凹部  １４３、１４３ａ〜１４３ｅ…光反射部材（反射部）  １４４…支持面  １４４ｂ…非支持領域  １４５…撮像部（撮像機構）  １４５ａ…撮像面  １５０…記録用紙（媒体）  １８０…記録ヘッド（噴射ヘッド）  １９０ａ…噴射面
【図１】
0005012582.tif 000002
【図２】
0005012582.tif 000003
【図３】
0005012582.tif 000004
【図４】
0005012582.tif 000005
【図５】
0005012582.tif 000006
【図６】
0005012582.tif 000007
【図７】
0005012582.tif 000008
【図８】
0005012582.tif 000009
【図９】
0005012582.tif 000010
【図１０】
0005012582.tif 000011
【図１１】
0005012582.tif 000012